(57)【特許請求の範囲】
【請求項１】
（ａ）４×ｎ本（但し、ｎは１〜２４の整数）のストランドで編組された編組ロープからなる大棚と、（ｂ）前記大棚の前記ストランド間に所定間隔で前記大棚の長さ方向に順に挿通された仕立部材からなる小棚と、を備え、前記大棚が、前記ストランドの各々が約１８０°異なる方向に交互に露出するように編組された編組ロープからなり、かつ、略同一直線上に露出した前記ストランドと他の略同一直線上に露出した前記ストランドの色が異なることを特徴とする網仕立用ロープ。
【請求項２】
前記仕立部材が挿通された前記ストランド間、又は、前記仕立部材が挿通された前記ストランド間と異なる前記ストランド間、に挿通された補助仕立部材からなる補助小棚を備えていることを特徴とする請求項１に記載の網仕立用ロープ。
【請求項３】
網地と、（ａ）４×ｎ本（但し、ｎは１〜２４の整数）のストランドで編組された編組ロープからなる大棚と、（ｂ）前記大棚の前記ストランド間に所定間隔で前記大棚の長さ方向に順に挿通された仕立部材からなる小棚と、を備えた網仕立用ロープと、前記網仕立用ロープの小棚又は補助小棚若しくは大棚と前記網地を結束した仕立糸と、を備えていることを特徴とする網仕立用ロープを用いた網。
【請求項４】
網地と、請求項１又は２に記載の網仕立用ロープと、前記網仕立用ロープの小棚又は補助小棚若しくは大棚と前記網地を結束した仕立糸と、を備えていることを特徴とする網仕立用ロープを用いた網。
【請求項５】
（ａ）４×ｎ本（但し、ｎは１〜２４の整数）のストランドで編組された編組ロープからなる大棚と、（ｂ）前記大棚の前記ストランド間に所定間隔で前記大棚の長さ方向に順に挿通された仕立部材からなる小棚と、を備えた網仕立用ロープと、前記網仕立用ロープの小棚又は補助小棚が網目に挿通された網地と、を備えていることを特徴とする網仕立用ロープを用いた網。
【請求項６】
請求項１又は２に記載の網仕立用ロープと、前記網仕立用ロープの小棚又は補助小棚が網目に挿通された網地と、を備えていることを特徴とする網仕立用ロープを用いた網。
【請求項７】
４×ｎ本（但し、ｎは１〜２４の整数）のストランドで編組された編組ロープからなる大棚の編組ロープのストランド間に仕立部材を挿通して前記大棚の前記ストランド間に所定間隔で前記大棚の長さ方向に順に挿通された仕立部材からなる小棚を形成する網仕立て用ロープ形成工程と、仕立糸又は仕立ロープで前記小棚又は前記大棚に網地を取り付ける網取付工程と、を備えた網の仕立方法。
【請求項８】
請求項１又は２に記載の大棚の編組ロープのストランド間に仕立部材を挿通して請求項１又は２に記載の小棚を形成する網仕立用ロープ形成工程と、仕立糸又は仕立ロープで前記小棚又は前記大棚に網地を取り付ける網取付工程と、を備えた網の仕立方法。
【請求項９】
４×ｎ本（但し、ｎは１〜２４の整数）のストランドで編組された編組ロープからなる大棚の編組ロープのストランド間に仕立部材を挿通するとともに網地の網目に前記仕立部材を挿通することを特徴とする網仕立工程を備えていることを特徴とする網の仕立方法。
【請求項１０】
請求項１又は２に記載の大棚の編組ロープのストランド間に仕立部材を挿通するとともに網地の網目に前記仕立部材を挿通することを特徴とする網仕立工程を備えていることを特徴とする網の仕立方法。
【発明の詳細な説明】
【０００１】
【発明の属する技術分野】
本発明は、漁業やスポーツ施設等で使用される各種網の補強や連結等に使用される網仕立用ロープ、及び網仕立用ロープに網地を取り付けた網、並びに網の仕立方法に関するものである。
【０００２】
【従来の技術】
従来から、漁業やスポーツ施設等で使用されている各種網を仕立てる場合、網の仕立て上がり長さの規定、網の補強や連結、フロート（浮子）、沈材の取り付けのため、網地に直接ロープを取り付けて網を仕立てたり、ロープを複数にした棚ロープを用いて網を仕立てたりしている。ここで、棚ロープとは、本来の役割である長さを規定する太い主ロープである大棚と、網地の補強や網地との取り付け等の仕立作業に使用される大棚より細い補助ロープである小棚とで形成されたものであり、従来から、小棚は、補助ロープを大棚に添わせて別の仕立糸で大棚に固縛したり、補助ロープを直接大棚に結束したりして形成されている。
また、従来から、棚ロープを用いた網としては、小棚に網地の縁糸を別の仕立糸で固縛して形成したものや、大棚に小棚を取り付けると同時に網地の縁の網目に小棚を通して形成したものがある。
【０００３】
また、近年では、網仕立用ロープの製作が容易にできるとともに、容易に網の製作ができる網仕立用ロープや網に関するものとして種々のものが開発されている。
【０００４】
例えば、網仕立用ロープとして、特開昭５６−９１０５１号公報（以下、イ号公報という）には、素線からなる組紐の素線１本を他の素線より太い丈夫な素線にしておき、組紐コードの途中に適当な間隔でその素線で多数のループを形成したループを有する組紐コード、が開示されている。
【０００５】
また、実開昭５６−１５１３９７号公報（以下、ロ号公報という）には、組紐により構成するロープに編成した紐若しくは糸条の一部をロープの所望個所毎にロープより離脱させて連結用ループを列設した連結用ループ付ロープ、が開示されている。
【０００６】
実開昭６１−４３２８９号公報（以下、ハ号公報という）には、編組状ロープにおいて、編組状ロープを構成する素線等を一定間隔に引き出し形成するループの長さが、ループ間隔の長さより長いことを特徴とし、このループにて網目を通し、網目を通したループに他のループをくぐらすことによってロープと網地とを接続仕立てできる網地仕立用ロープ、が開示されている。
【０００７】
実開昭６１−１８６３５９号公報（以下、ニ号公報という）には、三本のストランドを撚り合わせた主ロープと、主ロープよりも小径の従ロープとよりなり、従ロープが、所定間隔毎に主ロープのストランドの間に挿通されて貫通し、主ロープの一本のストランドを越えて、または一本のストランドに巻回されて、再びストランド間に挿通されて貫通し結合され、結合部間の従ロープの長さが結合部間の長さより長い漁網用ロープ、が開示されている。
【０００８】
網としては、例えば、実開昭６３−１５８１７１号公報（以下、ホ号公報という）には、編組状ロープの長手方向に一定間隔毎に隣接した長目ループと短目ループを有するロープ部材と、小耳部を持つロープ部材をあらかじめ網地縁部に挿入した網地部材と、を有し、小耳部とロープ部材の長目ループ先端部とを、ロープ部材の短目ループに引っ掛け、突出した短目ループの輪状部に直前で待機する次の長目ループの先端をくぐらせ、引きつづき手動の同一手段を順次に仕立て方向に施し連結の終端において長目ループの残余長を支持ロープに結んで仕立てた仕立網、が開示されている。
【０００９】
【発明が解決しようとする課題】
しかしながら、上記従来の網仕立用ロープや網は以下の課題を有していた。
【００１０】
従来の網仕立用ロープである棚ロープでは、大棚に小棚を取り付けた棚ロープの製作作業に多大な手間を要すとともに、所定間隔で正確に補助ロープを取り付け小棚を形成するには熟練を要し生産性に欠ける。また、大棚に補助ロープを直接結束した場合、補助ロープの結び目が大棚より突出するため、結び目が摩擦等で摩耗し易く、小棚の耐久性に欠ける。更に、棚ロープを用いた網では、特に、網地に所要の縮結を得る場合に網地の目数の計算等を要し網の製作作業が煩雑で生産性に欠けるという課題を有していた。
【００１１】
イ号公報に記載のループを有する組紐コードでは、素線の１本を他の素線より太い丈夫な素線にしているとともに、その素線で多数のループを形成しているので、組紐コードに直径ムラができ、組紐コードに均等に荷重がかからず組紐コードの耐久性に欠ける。また、組紐コードの素線でループを形成しているので、ループが損傷した場合、ループの補正ができず組紐コード自体が損傷し、組紐コードの耐久性に欠けるとともに、経済性に欠ける。更に、１本の素線でループを形成するには、組紐の構成上、１ピッチ以上の間隔が必要になるためループ間隔を１ピッチ以下にすることができないとともに、１ピッチ間隔ではループの固定ができずループが滑り易いという課題を有していた。
【００１２】
ロ号公報に記載の連結用ループ付ロープでは、紐若しくは糸条の一部を所定間隔毎に組紐により構成するロープに織込み、一部をロープより離脱させて連結用ループを形成しているため、特に、糸条の織込み部が幅広になり、ロープに直径ムラができ均等に荷重がかからずロープの耐久性を低下させる傾向が有る。また、該連結用ループ付ロープの製造時に、連結用ループ用の耐摩耗性に優れた紐若しくは糸条の一部を所定間隔毎にロープに織込む作業を要し、該連結用ループ付ロープの生産性に欠けるとともに、従来のロープに連結用ループを後付けできず汎用性に欠ける。更に、ロープが組紐により構成されているため、ロープのピッチが確認し難く連結用ループ用の紐若しくは糸条を所定間隔毎にロープに織込む作業が煩雑で該連結用ループ付ロープの生産性に欠けるという課題を有していた。
【００１３】
ハ号公報に記載の網地仕立用ロープでは、編組状ロープを構成する素線等を一定間隔に引き出し形成したループにて網目を通し、網目を通したループに他のループをくぐらすことによってロープと網地とを接続仕立てしているため、ループの一部が切断されると、切断部より前の網とロープが全て簡単に切り離されてしまい、網の大破や流出という大きな事故を引き起こし易く、特に、定置網等毎日の点検が困難な場所での使用に不向きである。また、ループの破損が即ロープの損傷につながるため、ロープの耐久性に欠ける。更に、ループの長さが、ループ間隔の長さより長いため、網地を取り付けた際にループが湾曲して垂れ下がりロープと網地の間隔が大きくなり、網の使用性に欠けるという課題を有していた。
【００１４】
ニ号公報に記載の漁網用ロープでは、主ロープが、三本のストランドを撚り合わせて構成されているので、主ロープのストランド間に挿通された従ロープがストランド間で移動し易く、従ロープが摩擦で損傷し易いとともに、従ロープの結合部間の長さを一定に維持し難い。また、従ロープが、主ロープのストランド間に挿通されて貫通し、主ロープの一本のストランドを越えて、又は一本のストランドに巻回されているので、主ロープの対向する両側に従ロープが露出し、従ロープの露出部が海底や地面等で摩擦等により摩耗し易く、従ロープの耐久性に欠けるという課題を有していた。
【００１５】
ホ号公報に記載の仕立網では、網地縁部にあらかじめ配設されたロープ部材の小耳部とロープ部材の長目ループ先端部とを、ロープ部材の短目ループに引っ掛け、突出した短目ループの輪状部に直前で待機する次の長目ループの先端をくぐらせながら仕立網を仕立てているので、小耳部，長目ループ，短目ループのいずれかが切断された場合、切断部より前の部分の仕立部が全て外れてしまうとともに、仕立網の補修には、網地部材のロープ部材やロープ部材全ての交換を要し、メンテナンス性に欠けるという課題を有していた。
【００１６】
本発明は上記従来の課題を解決するもので、大棚への小棚の取り付けが容易にでき、熟練を要さず誰にでも所定間隔で容易に小棚を形成でき生産性に優れるとともにメンテナンス性に優れ、また、耐久性に優れた網仕立用ロープの提供、及び、網仕立用ロープの小棚と網地とを容易に連結でき、網の仕立作業性やメンテナンス性に優れるとともに、低コスト化を図ることができ、また多様な用途に対応できる網仕立用ロープを用いた網の提供、並びに、網地に所要の縮結を得る場合にも、容易に網の仕立作業ができ仕立作業性に優れた網の仕立方法を提供することを目的とする。
【００１７】
【課題を解決するための手段】
上記従来の課題を解決するために本発明における網仕立用ロープ及びそれを用いた網並びに網の仕立方法は、以下の構成を有している。
【００１８】
本発明の請求項１に記載の網仕立用ロープは、（ａ）４×ｎ本（但し、ｎは１〜２４の整数）のストランドで編組された編組ロープからなる大棚と、（ｂ）前記大棚の前記ストランド間に所定間隔で前記大棚の長さ方向に順に挿通された仕立部材からなる小棚と、を備え、前記大棚が、前記ストランドの各々が約１８０°異なる方向に交互に露出するように編組された編組ロープからなり、かつ、略同一直線上に露出した前記ストランドと他の略同一直線上に露出した前記ストランドの色が異なる構成を有している。
【００１９】
これにより、仕立部材を大棚のストランド間に挿通しているので、仕立部材を挿通した挿通部間で大棚の外周面に仕立部材を露出させて小棚を形成できるという作用を有する。また、小棚の形成に仕立糸等を要さず容易に小棚を形成できるとともに、小棚を編組ロープからなる大棚に後付けできるという作用を有する。また、小棚の形成に仕立糸等を使用していないので仕立糸等の切断による大棚と小棚の離脱を防止できるとともに、小棚が大棚のストランド間に仕立部材を挿通して形成されているので、該網仕立用ロープの使用時に海底や地面等に小棚を形成した仕立部材の挿通部が当接するのを防止でき、摩擦等により切断されるのを防止できるという作用を有する。更に、大棚のストランド間に仕立部材を挿通して小棚を形成しているため、大棚の有する強度を維持でき大棚の強度や耐久性を低下させることなく小棚を容易に形成できるという作用を有する。また、大棚が編組ロープからなるため、大棚を長さ方向で圧縮させるか、スパイキ等の挿通具をストランド間に挿通するだけで、容易に仕立部材を挿通するストランド間を広げることができるので、仕立部材の挿通作業がし易く、また、仕立部材をストランド間に挿通した後、大棚を長さ方向に引くだけでストランドで仕立部材を挟持して挿通部に仕立部材を固定でき、小棚の形成作業性を向上できるという作用を有する。特に、ストランド間に挿通すると同時にストランド間に仕立部材を挿通できる糸通し等の挿通具を用いた場合、仕立部材の挿通作業性をさらに向上できるという作用を有する。
大棚が、ストランドの各々が約１８０°異なる方向に交互に露出するように編組された編組ロープからなるため、仕立部材を所定のストランド間に挿通し易いという作用を有する。また、各同一直線上に露出したストランドの色が異なるため、大棚の編組ロープの各ストランドのピッチがわかり易く、仕立部材を所定間隔で編組ロープのストランド間に容易に挿通でき、仕立部材の挿通作業性を向上でき、小棚の形成作業性を向上できるという作用を有する。更に、仕立部材を編組ロープのストランド間に挿通して小棚を形成した後、仕立部材の挿通ピッチの確認が容易にできるという作用を有する。
【００２０】
ここで、大棚としては、編組ロープの内、特に組紐と呼ばれる太さの細いものを除き、特に、４×２本のストランドからなる八つ打ロープが好適に用いられる。編組ロープとして八つ打ロープを用いた場合、八つ打ロープの断面が略四角形状で２本のストランドで構成された４組のストランドが捩じれずに常にそれぞれ相対する向きに現れるため、小棚の仕立部材を所定のストランド間に挿通し易いとともに、小棚に捩れが生じ難く該網仕立用ロープの取り扱い性に優れる。また、小棚の仕立部材としては、該網仕立用ロープの使用条件に応じて、組紐や編組ロープ等からなる任意の材質，太さ，強度のものが用いられる。更に、小棚の仕立部材は、仕立部材を挿通した挿通部間で、大棚の外周面側に弛みを持たせて露出させるのが好ましい。これにより、小棚に網地を取り付ける際の取付作業性を向上できる。更に、大棚の編組ロープの中心や各ストランド，小棚の仕立部材に鉛線やワイヤロープ，鉛や鉄等の金属片又は発泡材を挿入してもよい。これにより、該網仕立用ロープの重量や該網仕立用ロープの比重を変更でき、該網仕立用ロープを錘又は浮子と兼用して使用することができ、各種の網の仕立てに利用できる。
特に、略同一直線上に露出したストランドとそのストランドと隣り合う他の同一直線上に露出したストランドの色を異ならせるのが好ましい。これにより、隣り合う直線上のストランドの色が異なるため各ストランドのピッチがよりわかり易くなり、仕立部材の挿通作業性を向上できる。また、ストランドの色としては、特に、一方を黒等の暗視色とし、他方を青，緑，黄，赤等の明視色とするのが好ましい。これにより、各ストランド毎のピッチをより簡単に見分けることができ、仕立部材の挿通作業性をさらに向上できる。更に、明視色に蛍光性を付加した場合、夜間等の暗い場所での該網仕立用ロープの取り扱い性を向上できる。尚、明視色のストランドはストランド製造時に原料に蛍光剤や蛍光増白剤を加えることにより容易に得ることができる。
【００２１】
本発明の請求項２に記載の網仕立用ロープは、請求項１に記載の発明において、前記仕立部材が挿通された前記ストランド間、又は、前記仕立部材が挿通された前記ストランド間と異なる前記ストランド間、に挿通された補助仕立部材からなる補助小棚を備えた構成を有している。
【００２２】
これにより、補助小棚に沈材や浮子を取り付けることができ該網仕立用ロープの使用性を向上できるという作用を有する。また、小棚と補助小棚の両方に各々網地を連結して網地と網地の接続部に該網仕立用ロープを使用することもでき、種々の用途の網に使用できるという作用を有する。更に、仕立部材を挿通したストランド間に補助仕立部材を挿通する場合、特に、仕立部材と挿通方向を逆にすると、小棚と対向する位置に補助小棚を形成でき、また、仕立部材と異なるストランド間に補助仕立部材を挿通する場合、補助仕立部材の挿通箇所により小棚と補助小棚を任意の角度で大棚に形成でき、該網仕立用ロープの使用性を向上できるという作用を有する。
【００２３】
ここで、補助小棚としては、１乃至複数形成してもよく、また、小棚と同じ方向に補助小棚を形成した場合、漁網の定置網の側網と漏斗部分の網地等を小棚と補助小棚に取り付けることができ、小棚と異なる方向に複数の補助小棚を形成した場合、他方向に複数の網地を取り付け定置網の箱網の底網等を形成することができ、更に、小棚と対向する位置に補助小棚を形成した場合、小棚と補助小棚に網地を連結すると、小棚や補助小棚と略直角方向の網の補強ができ、種々の形状の網に該網仕立用ロープを使用できる。また、特に、小棚の仕立部材，補助小棚の補助仕立部材の太さが太い場合、仕立部材が挿通されたストランド間と補助仕立部材が挿通されるストランド間を各々異なるストランド間にするのが好ましい。これにより、仕立部材，補助仕立部材が挿通されたストランド間に大きな間隙ができ、小棚や補助小棚が挿通部で移動するのを防止できる。更に、小棚の仕立部材を挿通した挿通ピッチと、補助小棚の補助仕立部材を挿通した挿通ピッチは、同一でも異なっていても良い。
【００２４】
本発明の請求項３に記載の網仕立用ロープを用いた網は、網地と、（ａ）４×ｎ本（但し、ｎは１〜２４の整数）のストランドで編組された編組ロープからなる大棚と、（ｂ）前記大棚の前記ストランド間に所定間隔で前記大棚の長さ方向に順に挿通された仕立部材からなる小棚と、を備えた網仕立用ロープと、前記網仕立用ロープの小棚又は補助小棚若しくは大棚と前記網地を結束した仕立糸と、を備えた構成を有している。
【００２５】
これにより、仕立部材を大棚のストランド間に挿通しているので、仕立部材を挿通した挿通部間で大棚の外周面に仕立部材を露出させて小棚を形成できるという作用を有する。また、小棚の形成に仕立糸等を要さず容易に小棚を形成できるとともに、小棚を編組ロープからなる大棚に後付けできるという作用を有する。また、小棚の形成に仕立糸等を使用していないので仕立糸等の切断による大棚と小棚の離脱を防止できるとともに、小棚が大棚のストランド間に仕立部材を挿通して形成されているので、該網仕立用ロープの使用時に海底や地面等に小棚を形成した仕立部材の挿通部が当接するのを防止でき、摩擦等により切断されるのを防止できるという作用を有する。更に、大棚のストランド間に仕立部材を挿通して小棚を形成しているため、大棚の有する強度を維持でき大棚の強度や耐久性を低下させることなく小棚を容易に形成できるという作用を有する。また、大棚が編組ロープからなるため、大棚を長さ方向で圧縮させるか、スパイキ等の挿通具をストランド間に挿通するだけで、容易に仕立部材を挿通するストランド間を広げることができるので、仕立部材の挿通作業がし易く、また、仕立部材をストランド間に挿通した後、大棚を長さ方向に引くだけでストランドで仕立部材を挟持して挿通部に仕立部材を固定でき、小棚の形成作業性を向上できるという作用を有する。特に、ストランド間に挿通すると同時にストランド間に仕立部材を挿通できる糸通し等の挿通具を用いた場合、仕立部材の挿通作業性をさらに向上できるという作用を有する。
網地を仕立糸で網仕立用ロープの小棚や補助小棚若しくは大棚に結束しているので、網地と網仕立用ロープを堅固に連結できるとともに、特に、網地を小棚や補助小棚と結束した場合、結束部が地面や海底等に接するのを防止でき、仕立糸が摩耗し難く網の耐久性を向上できる。また、網地と網仕立用ロープが仕立糸で堅固に連結されているので、特に、長期間設置して使用される漁網の定置網や生け簀網、又は大型のゴルフネット等に好適に使用できるという作用を有する。
【００２６】
ここで、網地を小棚や補助小棚に結束する場合、小棚や補助小棚を形成した仕立部材の挿通部間で仕立部材が大棚の外周面に露出した部分に、１乃至複数の所定数の網地の網目を仕立糸で結束して網仕立用ロープと連結される。また、仕立部材の挿通部間に複数の網目を結束した場合、網地に縮結を形成することができる。
【００２７】
本発明の請求項４に記載の網仕立用ロープを用いた網は、請求項１又は２に記載の網仕立用ロープと、前記網仕立用ロープの小棚又は補助小棚若しくは大棚と前記網地を結束した仕立糸と、を備えた構成を有している。
【００２８】
これにより、網地を仕立糸で網仕立用ロープの小棚や補助小棚若しくは大棚に結束しているので、網地と網仕立用ロープを堅固に連結できるとともに、特に、網地を小棚や補助小棚と結束した場合、結束部が地面や海底等に接するのを防止でき、仕立糸が摩耗し難く網の耐久性を向上できる。また、網地と網仕立用ロープが仕立糸で堅固に連結されているので、特に、長期間設置して使用される漁網の定置網や生け簀網、又は大型のゴルフネット等に好適に使用できるという作用を有する。
ここで、網地を小棚や補助小棚に結束する場合、小棚や補助小棚を形成した仕立部材の挿通部間で仕立部材が大棚の外周面に露出した部分に、１乃至複数の所定数の網地の網目を仕立糸で結束して網仕立用ロープと連結される。また、仕立部材の挿通部間に、複数の網目を結束した場合、網地に縮結を形成することができる。
【００２９】
本発明の請求項５に記載の網仕立用ロープを用いた網は、（ａ）４×ｎ本（但し、ｎは１〜２４の整数）のストランドで編組された編組ロープからなる大棚と、（ｂ）前記大棚の前記ストランド間に所定間隔で前記大棚の長さ方向に順に挿通された仕立部材からなる小棚と、を備えた網仕立用ロープと、前記網仕立用ロープの小棚又は補助小棚が網目に挿通された網地と、を備えた構成を有している。
【００３０】
これにより、仕立部材を大棚のストランド間に挿通しているので、仕立部材を挿通した挿通部間で大棚の外周面に仕立部材を露出させて小棚を形成できるという作用を有する。また、小棚の形成に仕立糸等を要さず容易に小棚を形成できるとともに、小棚を編組ロープからなる大棚に後付けできるという作用を有する。また、小棚の形成に仕立糸等を使用していないので仕立糸等の切断による大棚と小棚の離脱を防止できるとともに、小棚が大棚のストランド間に仕立部材を挿通して形成されているので、該網仕立用ロープの使用時に海底や地面等に小棚を形成した仕立部材の挿通部が当接するのを防止でき、摩擦等により切断されるのを防止できるという作用を有する。更に、大棚のストランド間に仕立部材を挿通して小棚を形成しているため、大棚の有する強度を維持でき大棚の強度や耐久性を低下させることなく小棚を容易に形成できるという作用を有する。また、大棚が編組ロープからなるため、大棚を長さ方向で圧縮させるか、スパイキ等の挿通具をストランド間に挿通するだけで、容易に仕立部材を挿通するストランド間を広げることができるので、仕立部材の挿通作業がし易く、また、仕立部材をストランド間に挿通した後、大棚を長さ方向に引くだけでストランドで仕立部材を挟持して挿通部に仕立部材を固定でき、小棚の形成作業性を向上できるという作用を有する。特に、ストランド間に挿通すると同時にストランド間に仕立部材を挿通できる糸通し等の挿通具を用いた場合、仕立部材の挿通作業性をさらに向上できるという作用を有する。
網地の網目に小棚や補助小棚を形成する仕立部材を挿通して網仕立用ロープと網地を連結しているので、大棚に小棚を形成し網仕立用ロープを形成すると同時に網地を網仕立用ロープに連結して該網を製作でき、網の製作作業性を向上できるという作用を有する。また、網仕立用ロープと網地だけで該網を製作でき、網の仕立作業に他の部材を要さず部品点数を削減でき低コスト化を図ることができるという作用を有する。更に、該網を、小型底引き網や巻網，陸上の安全ネット等、短期間毎に点検ができる場所で好適に使用できるという作用を有する。
【００３１】
ここで、小棚や補助小棚が仕立部材で形成されている場合、仕立部材を大棚のストランド間に挿通した後、網地の１乃至複数の所定数の網目に挿通し、次いで、次のストランド間に挿通する作業を繰り返すことにより、小棚と該網を同時に形成することができる。また、網地の網目に仕立部材を挿通した後、所定網目数毎に仕立部材を折り曲げて輪状部を形成するとともに輪状部を大棚のストランド間に挿通することにより網地と網仕立用ロープとの連結ができる。尚、仕立部材の挿通部間で、仕立部材を複数の網目に挿通して網地と網仕立用ロープを連結した場合、網地に縮結を形成することができる。
【００３２】
本発明の請求項６に記載の網仕立用ロープを用いた網は、請求項１又は２に記載の網仕立用ロープと、前記網仕立用ロープの小棚又は補助小棚が網目に挿通された網地と、を備えた構成を有している。
【００３３】
これにより、網地の網目に小棚や補助小棚を形成する仕立部材を挿通して網仕立用ロープと網地を連結しているので、大棚に小棚を形成し網仕立用ロープを形成すると同時に網地を網仕立用ロープに連結して該網を製作でき、網の製作作業性を向上できるという作用を有する。また、網仕立用ロープと網地だけで該網を製作でき、網の仕立作業に他の部材を要さず部品点数を削減でき低コスト化を図ることができるという作用を有する。更に、該網を、小型底引き網や巻網，陸上の安全ネット等、短期間毎に点検ができる場所で好適に使用できるという作用を有する。
【００３４】
ここで、小棚や補助小棚が仕立部材で形成されている場合、仕立部材を大棚のストランド間に挿通した後、網地の１乃至複数の所定数の網目に挿通し、次いで、次のストランド間に挿通する作業を繰り返すことにより、小棚と該網を同時に形成することができる。また、網地の網目に仕立部材を挿通した後、所定網目数毎に仕立部材を折り曲げて輪状部を形成するとともに輪状部を大棚のストランド間に挿通することにより網地と網仕立用ロープとの連結ができる。尚、仕立部材の挿通部間で、仕立部材を複数の網目に挿通して網地と網仕立用ロープを連結した場合、網地に縮結を形成することができる。
【００３５】
本発明の請求項７に記載の網の仕立方法は、４×ｎ本（但し、ｎは１〜２４の整数）のストランドで編組された編組ロープからなる大棚の編組ロープのストランド間に仕立部材を挿通して前記大棚の前記ストランド間に所定間隔で前記大棚の長さ方向に順に挿通された仕立部材からなる小棚を形成する網仕立て用ロープ形成工程と、仕立糸又は仕立ロープで前記小棚又は前記大棚に網地を取り付ける網取付工程と、を備えた構成を有している。
【００３６】
これにより、仕立部材を大棚のストランド間に挿通しているので、仕立部材を挿通した挿通部間で大棚の外周面に仕立部材を露出させて小棚を形成できるという作用を有する。また、小棚の形成に仕立糸等を要さず容易に小棚を形成できるとともに、小棚を編組ロープからなる大棚に後付けできるという作用を有する。また、小棚の形成に仕立糸等を使用していないので仕立糸等の切断による大棚と小棚の離脱を防止できるとともに、小棚が大棚のストランド間に仕立部材を挿通して形成されているので、該網仕立用ロープの使用時に海底や地面等に小棚を形成した仕立部材の挿通部が当接するのを防止でき、摩擦等により切断されるのを防止できるという作用を有する。更に、大棚のストランド間に仕立部材を挿通して小棚を形成しているため、大棚の有する強度を維持でき大棚の強度や耐久性を低下させることなく小棚を容易に形成できるという作用を有する。また、大棚が編組ロープからなるため、大棚を長さ方向で圧縮させるか、スパイキ等の挿通具をストランド間に挿通するだけで、容易に仕立部材を挿通するストランド間を広げることができるので、仕立部材の挿通作業がし易く、また、仕立部材をストランド間に挿通した後、大棚を長さ方向に引くだけでストランドで仕立部材を挟持して挿通部に仕立部材を固定でき、小棚の形成作業性を向上できるという作用を有する。特に、ストランド間に挿通すると同時にストランド間に仕立部材を挿通できる糸通し等の挿通具を用いた場合、仕立部材の挿通作業性をさらに向上できるという作用を有する。
大棚の編組ロープのストランド間に仕立部材を挿通するだけで小棚を有した網仕立用ロープを形成でき、網仕立用ロープを容易に形成できるという作用を有する。また、特に、網取付工程で網地を仕立糸で小棚又は大棚に結束した場合、網地を網仕立用ロープに堅固に連結することができるという作用を有する。更に、仕立ロープで小棚に網地を連結する場合、仕立ロープを小棚と網地の網目に挿通するだけで網地を容易に小棚に連結できるという作用を有する。
【００３７】
ここで、網取付工程では、網地の網目と小棚又は大棚を仕立糸で結束、又は、網地の網目と小棚に仕立ロープを挿通して網地と網仕立用ロープが連結される。また、網仕立用ロープ形成工程と同様にして補助小棚を形成する補助小棚形成工程を備えてもよい。これにより、大棚に補助小棚を形成することができるとともに、網取付工程で網地を補助小棚に連結することもできる。更に、網仕立用ロープ形成工程において小棚を形成する前に、大棚に沈材や浮子を外嵌させてもよい。これにより、網仕立用ロープ形成工程で小棚を形成する際に、仕立部材で沈材や浮子を大棚に押止固定することができる。
【００３９】
本発明の請求項８に記載の網の仕立方法は、請求項１又は２に記載の大棚の編組ロープのストランド間に仕立部材を挿通して請求項１又は２に記載の小棚を形成する網仕立用ロープ形成工程と、仕立糸又は仕立ロープで前記小棚又は前記大棚に網地を取り付ける網取付工程と、を備えた構成を有している。
【００４０】
これにより、大棚の編組ロープのストランド間に仕立部材を挿通するだけで小棚を有した網仕立用ロープを形成でき、網仕立用ロープを容易に形成できるという作用を有する。また、特に、網取付工程で網地を仕立糸で小棚又は大棚に結束した場合、網地を網仕立用ロープに堅固に連結することができるという作用を有する。更に、仕立ロープで小棚に網地を連結する場合、仕立ロープを小棚と網地の網目に挿通するだけで網地を容易に小棚に連結できるという作用を有する。
【００４１】
ここで、網取付工程では、網地の網目と小棚又は大棚を仕立糸で結束、又は、網地の網目と小棚に仕立ロープを挿通して網地と網仕立用ロープが連結される。また、網仕立用ロープ形成工程と同様にして補助小棚を形成する補助小棚形成工程を備えてもよい。これにより、大棚に補助小棚を形成することができるとともに、網取付工程で網地を補助小棚に連結することもできる。更に、網仕立用ロープ形成工程において小棚を形成する前に、大棚に沈材や浮子を外嵌させてもよい。これにより、網仕立用ロープ形成工程で小棚を形成する際に、仕立部材で沈材や浮子を大棚に押止固定することができる。
【００４２】
本発明の請求項９に記載の網の仕立方法は、４×ｎ本（但し、ｎは１〜２４の整数）のストランドで編組された編組ロープからなる大棚の編組ロープのストランド間に仕立部材を挿通するとともに網地の網目に前記仕立部材を挿通することを特徴とする網仕立工程を備えた構成を有している。
【００４３】
これにより、大棚の編組ロープのストランド間に仕立部材を挿通するとともに、仕立部材を網地の網目に挿通しているので、大棚に小棚を形成すると同時に網地と網仕立用ロープの連結ができ、該網の生産作業性を向上できるという作用を有する。
【００４５】
本発明の請求項１０に記載の網の仕立方法は、請求項１又は２に記載の大棚の編組ロープのストランド間に仕立部材を挿通するとともに網地の網目に前記仕立部材を挿通することを特徴とする網仕立工程を備えた構成を有している。
【００４６】
これにより、大棚の編組ロープのストランド間に仕立部材を挿通するとともに、仕立部材を網地の網目に挿通しているので、大棚に小棚を形成すると同時に網地と網仕立用ロープの連結ができ、該網の生産作業性を向上できるという作用を有する。
【００４７】
小棚が、所定間隔で曲折して形成された複数の輪状部を有した仕立部材からなり、仕立部材の輪状部が大棚のストランド間に所定間隔で挿通された構成を有している場合、仕立部材の輪状部を大棚のストランド間に所定間隔で挿通するだけで大棚から突出した複数の輪部からなる小棚を形成することができ、特に、大棚が長い場合に、輪状部だけをストランド間に挿通するので、小棚を容易に形成することができるという作用を有する。また、輪状部をストランド間に挿通しているので、大棚の所定間隔毎に輪状部を突出させて輪部からなる小棚を形成することができるとともに、輪状部の挿通部間で、かつ、輪部の突出位置と約１８０°異なる位置で、大棚の外周面に仕立部材を露出させて小棚を形成することができ、仕立部材の輪状部をストランド間に挿通するだけで大棚の２ヵ所に同時に小棚を形成することができるという作用を有する。
ここで、輪状部としては、仕立部材に所定間隔毎に仕立部材を折り曲げて形成される。また、大棚のストランド間に輪状部を挿通する場合、仕立部材に輪状部を形成するとともにストランド間に輪状部を挿通するのが好ましい。これにより、仕立部材の輪状部の形成と小棚の形成が同時にでき、小棚の形成作業性を向上できる。
【００４８】
小棚が、大棚に少なくとも１以上巻回された巻回部を有した構成を有している場合、大棚のストランド間に挿通した仕立部材が大棚の長さ方向に容易に移動するのを防止でき、仕立部材の挿通部での摩擦等による仕立部材の損傷を防止できるという作用を有する。また、特に、大棚に沈材や浮子を外嵌等により取り付けた際に、小棚の巻回部で沈材や浮子を大棚に押さえつけて固定することができるという作用を有する。
【００４９】
輪状部に結束された補助仕立部材からなる補助小棚を備えた構成を有している場合、大棚のストランド間に挿通した仕立部材の輪状部がストランド間から容易に抜けるのを防止できるという作用を有する。また、補助小棚を有しているので、小棚に網地を連結し、補助小棚に沈材や浮子を取り付けて該網仕立用ロープを使用することができ、更に、小棚と補助小棚の両方に各々網地を連結して網地と網地との接続部に該網仕立用ロープを使用することもでき、種々の用途の網に該網仕立用ロープを使用できるという作用を有する。
ここで、補助仕立部材と輪状部の結束としては、大棚から突出した輪状部からなる輪部に補助仕立部材を挿通して結束するのが好ましい。これにより、補助仕立部材と輪状部との結束に仕立糸等を要さず、容易に結束できる。
【００５０】
小棚が、大棚の長さ方向に所定間隔でストランド間に挿通固定された複数の輪状部材からなり、大棚から突出した複数のループ部を備えた構成を有している場合、複数の輪状部材で小棚を形成しているので、特に大棚の編組ロープが長い場合でも、大棚の長さ方向に所定間隔で各輪状部材を挿通固定するだけで小棚を形成でき、小棚を容易に形成できるという作用を有する。また、小棚が複数の輪状部材で形成されているため、各輪状部材が大棚の長さ方向に移動するのを防止でき、摩擦等により各輪状部材が短期間で老朽化するのを防止できるという作用を有する。更に、複数の輪状部材で小棚が形成されているため、小棚の一部が摩耗や切断等で損傷した際に、損傷した輪状部材だけを交換でき、小棚のメンテナンス性を向上できるという作用を有する。
ここで、輪状部材としては、輪状部材の一部を大棚のストランド間に挿通して大棚に半回転分巻き付け、輪状部材内に挿通させて引くことにより大棚に固定して、輪状部材の一部を、大棚から突出したループ部とするのが好ましい。これにより、輪状部材の一部がループ部になるため、ループ部に力がかかるにつれてより強く輪状部材を大棚に固定することができ、輪状部材が大棚の長さ方向に移動するのを防止できる。
尚、大棚に沈材や浮子を外嵌等により取り付けた場合、大棚から突出したループ部を沈材や浮子の外周面に当接させてループ部の端部を大棚の他のストランド間に挿通してループ部で沈材や浮子を押止してもよく、更に、沈材や浮子を押止したループ部を更に大棚に巻回してループ部を固定してもよい。
【００５１】
大棚に外嵌され小棚又は補助小棚で固定された沈材又は浮子を備えた構成を有している場合、大棚に沈材や浮子を外嵌するだけで容易に該網仕立用ロープの重量又は浮力を変更することができ、該網仕立用ロープを、沈材を有する定置網，生け簀網，巻網等，浮子を有する定置網，巻網，底引網等の各種の網の仕立てに利用できるという作用を有する。また、沈材や浮子が大棚に外嵌されているので、大棚のストランド間に仕立部材，輪状部材や補助仕立部材を挿通して小棚や補助小棚を形成する際に、各部材で沈材や浮子の外周面を押止して沈材や浮子を大棚に固定できるという作用を有する。
ここで、沈材や浮子としては、筒状体等で大棚に外嵌できる形状のものが用いられる。また、大棚に外嵌された沈材や浮子は、小棚の仕立部材や輪状部材，補助小棚の補助仕立部材を、沈材や浮子の外周面に巻回等により当接して大棚に押止固定するのが好ましい。これにより、他の部材を使用せずに沈材や浮子を容易に大棚に固定できる。
【００５２】
網仕立用ロープを２以上有し、一方の網仕立用ロープの大棚から突出した小棚のループ部と他方の網仕立用ロープの大棚から突出した小棚のループ部が交互に挿通された構成を有している場合、各網仕立用ロープの小棚のループ部を交互に挿通するだけで、２以上の網仕立用ロープの大棚を容易に連結でき、また、交互に挿通したループ部の一端を外すだけで、全てのループ部の挿通を外すことができ、各網仕立用ロープの大棚の連結や離脱作業が容易にできるという作用を有する。また、ループ部で大棚同士を連結しているので、堅固に連結でき、特に、強度を要する網に該網仕立用ロープを使用でき、使用性を向上できる。
ここで、大棚から突出したループ部の長さとしては、隣り合うループ部の間隔の約１／２倍〜約１．１倍の長さに形成するのが好ましい。これにより、２以上の大棚の各ループ部を交互に挿通して大棚を連結した際に、ループ部が弛み各大棚間に広い間隙ができるのを防止できる。尚、ループ部の長さが、ループ部の間隔の約１／２倍より短くなるにつれ、ループ部を挿通した際に大棚が弛み、また、ループ部の間隔の約１．１倍より長くなるにつれ、互いに挿通したループ部同士が滑動し易くなり、ループ部同士の滑動によりループ部が摩擦して耐久性が低下する傾向が有り、いずれも好ましくない。
【００５３】
網地と、網仕立用ロープと、網仕立用ロープの小棚又は補助小棚と網地の網目に挿通された仕立ロープと、を備えた構成を有している場合、仕立ロープを、大棚の外周面に仕立部材を露出して形成した小棚や補助小棚、輪状部の輪部又は輪状部材のループ部からなる小棚や補助小棚に挿通し、次に、網地の１乃至複数の所定数の網目に挿通する作業を繰り返すことにより、容易に網地と網仕立用ロープを連結して該網を製作することができるという作用を有する。特に、大棚に仕立部材の輪状部を挿通して形成した小棚や、大棚に輪状部材を挿通固定して形成した小棚の場合、大棚から輪部やループ部が突出しているので、より簡単に仕立ロープを輪部やループ部に挿通することができ、網の製作作業性を向上できるという作用を有する。
ここで、仕立部材の挿通部間やループ部間に位置する仕立ロープに、網地の網目を複数挿通した場合、網地に縮結を形成することができる。
【００５４】
網仕立用ロープ形成工程が、一方の網仕立用ロープのループ部と他方の網仕立用ロープのループ部を順に交互に挿通し２以上の網仕立用ロープを連結する連結工程を備えた構成を有している場合、連結工程で、複数の網仕立用ロープの各ループ部同士を順に交互に挿通するだけで容易に連結することができるという作用を有する。また、ループ部を交互に挿通して各網仕立用ロープの大棚を連結しているので、一端部のループ部の挿通を外すだけで大棚の連結を全て簡単に外すことができるという作用を有する。
【００６１】
【発明の実施の形態】
（実施の形態１，２）
本発明の実施の形態１における網仕立用ロープについて、以下図面を用いて説明する。
【００６２】
図１は実施の形態１における網仕立用ロープの要部平面図である。
【００６３】
図１において、１は実施の形態１における網仕立用ロープ、２は編組ロープの八つ打ロープからなる網仕立用ロープ１の大棚、３は２本のストランド３ａ，３ｂを１組として約１８０°異なる方向に交互に露出するように編組された大棚２のストランド、４は２本のストランド４ａ，４ｂを１組としてストランド３と略同一直線上に露出したストランド３と同色のストランド、５は２本のストランド５ａ，５ｂを１組としてストランド３，４と約９０°異なる位置で約１８０°異なる方向に交互に露出するように編組されストランド３，４と色の異なる大棚２のストランド、６は２本のストランド６ａ，６ｂを１組としてストランド５と略同一直線上に露出したストランド５と同色のストランド、７は大棚２のストランド３，５間に順に挿通した仕立部材、８は仕立部材７が挿通されたストランド３，５間の挿通部、９は挿通部８間で大棚２の外周面のストランド４上に仕立部材７を露出させて大棚２の長さ方向に添って形成された小棚である。
【００６４】
ここで、編組ロープ２としては、ストランド３乃至６の略中心や各ストランド３ａ乃至６ｂの略中心に、鉛線や鉛片，ステンレス線，鉄線等からなる加重部材や発泡材等の重量軽減部材を内設したものを用いてもよい。これにより、網仕立用ロープ１の重量や網仕立用ロープ１の比重を任意に変更することができる。
また、小棚９のピッチを狭くする場合、仕立部材７をストランド３，５間に挿通した後、隣接したストランド４，６間に挿通してもよく、また、小棚９のピッチを広げる場合、仕立部材７をストランド３，５間に挿通した後、隣接したストランド４，６その隣のストランド３，５をとばしてその次のストランド４，６間やストランド３，５間に挿通してもよい。更に、ストランド３，５間に仕立部材７を挿通する代わりに、仕立部材７をストランド３ａ，５ａ間に挿通し、次いでストランド３ａ，３ｂ間に挿通してもよい。
【００６５】
次に、本発明の実施の形態１における網仕立用ロープを用いた実施の形態２の網について、以下図面を用いて説明する。
【００６６】
図２は実施の形態１における網仕立用ロープを用いた実施の形態２の網の縁部を示す要部平面図である。
【００６７】
図２において、１０は実施の形態１の網仕立用ロープ１を用いた実施の形態２における網、１１は網１０の角目状の網地、１１ａは網地１１の縁の網目の網糸、１２は網仕立用ロープ１の小棚９の仕立部材７と網地１１の網糸１１ａを結束し網仕立用ロープ１と網地１１を連結した仕立糸である。
尚、網地１１としては、角目状の他、菱目状の網地を用いてもよい。
【００６８】
以上のように構成された実施の形態２における網の仕立方法について、以下説明する。
【００６９】
網１０を形成する場合、まず、網仕立用ロープ形成工程において、仕立部材７を大棚２のストランド３，５間の挿通部８に大棚２の長さ方向に添って順に挿通し、挿通部８間で仕立部材７を大棚２の外周面のストランド４上に露出させて小棚９を形成し、図１に示すように、網仕立用ロープ１を形成する。ここで、仕立部材７を挿通部８に挿通する際、大棚２を長さ方向で圧縮するか、スパイキ等の挿通具を挿通することにより、ストランド３，５間の挿通部８を広げ仕立部材７を挿通する。次いで、網取付工程において、仕立部材７で形成された網仕立用ロープ１の小棚９に網地１１の網糸１１ａを仕立糸１２で結束し、網仕立用ロープ１と網地１１を連結して、図２に示すように、網１０を形成する。
【００７０】
以上のように構成された実施の形態２における網は、長期間設置して使用される漁網の定置網や生け簀網、大型のゴルフネット等として使用される。
【００７１】
以上のように実施の形態１における網仕立用ロープ及びそれを用いた実施の形態２における網は構成されているので、以下の作用を有する。
（１）大棚のストランド間に仕立部材を挿通するだけで、仕立部材の挿通部間で大棚の外周面に仕立部材を露出させて小棚を形成できるので、小棚を有した該網仕立用ロープを容易に形成できるとともに、編組ロープからなる大棚に容易に小棚を後付けすることができ、該網仕立用ロープの生産性に優れる。
（２）網仕立用ロープの小棚が大棚のストランド間に挿通して形成され、仕立糸等で大棚と結束されていないので、特に、該網仕立用ロープの使用時に小棚と大棚が容易に離脱するのを防止できる。
（３）網仕立用ロープの小棚が、大棚のストランド間に仕立部材を挿通して形成されているので、大棚及び小棚の素材が本来有している強度を維持したまま大棚に小棚を形成することができる。
（４）大棚が八つ打ロープで形成されているとともに、略同一直線上に露出したストランドと隣り合う他の同一直線上に露出したストランドが各々異なる色で形成されているため、各ストランドのピッチがわかり易く、仕立部材をストランド間に挿通する際に容易に挿通部がわかり、また、小棚の形成後に小棚のピッチを容易に確認することができ、小棚の形成作業性を向上できる。
（５）大棚が八つ打ロープで形成されているため、大棚の各ストランドが略一直線上に露出しているとともに、大棚を長さ方向で圧縮するか、スパイキ等の挿通具を挿通するだけで仕立部材を挿通するストランド間を容易に広げることができるので、仕立部材をストランド間に容易に挿通でき、また、仕立部材が太い場合でもストランド間を広げて容易に挿通することができる。
（６）小棚を大棚のストランドに添って略一直線上に形成できるので、該網仕立用ロープの使用時に小棚が地面や海底等で摩擦されても小棚の仕立部材が切断されるのを防止でき、小棚の耐久性を向上できる。
（７）網仕立用ロープの小棚に網地の縁の網目の網糸を仕立糸で結束して網仕立用ロープと網地を連結して網を形成しているので、網仕立用ロープと網地を堅固に連結することができ、網の耐久性を向上できる。
（８）仕立糸の一部が切断した際に、網仕立用ロープと網地の連結が即座に全て外れることがなく、耐久性に優れるので、長期間設置して使用される漁網の定置網や生け簀網、大型のゴルフネット等に好適に使用できる。
【００７２】
（実施の形態３）
本発明の実施の形態１における網仕立用ロープを用いた実施の形態３における網について、以下図面を用いて説明する。
【００７３】
図３は実施の形態１における網仕立用ロープを用いた実施の形態３の網の縁部を示す要部平面図である。尚、実施の形態１，２と同様のものには同一の符号を付して説明を省略する。
【００７４】
図３において、２０は実施の形態３における網、２１は網２０の菱目状の網地、２１ａは網地２１の縁の網目である。
尚、網地２１としては、菱目状の他、角目状の網地を用いてもよい。
【００７５】
以上のように構成された実施の形態３における網の仕立方法について、以下説明する。
【００７６】
網２０を形成する場合、網仕立工程において、仕立部材７を大棚２のストランド３，５間の挿通部８に挿通した後、仕立部材７を網地２１の２つの網目２１ａに挿通し、次いで、次のストランド３，５間の挿通部８に仕立部材７を挿通する作業を繰り返し、図３に示すように、挿通部８間で露出した仕立部材７で形成される小棚９に網地２１の網目２１ａを挿通して、網仕立用ロープ１と網地２１を連結して網２０を形成する。
尚、実施の形態３では、仕立部材７を大棚２のストランド３，５間に挿通した後に２つの網目２１ａに挿通しているが、その他、仕立部材７をストランド３，５間に挿通して網目２１ａに挿通した後、隣接したストランド４，６間に仕立部材を挿通してもよく、また、隣接する挿通部８間で仕立部材７に挿通する網目２１ａの数を１乃至複数にしてもよい。
【００７７】
以上のように構成された実施の形態３における網は、短期間毎に点検可能な漁網の小型底引き網や巻網、陸上の安全ネット等として使用される。
【００７８】
以上のように実施の形態１における網仕立用ロープを用いた実施の形態３における網は構成されているので、実施の形態１，２の作用に加えて、以下の作用を有する。
（１）大棚のストランド間に仕立部材を挿通して小棚を形成するとともに、網地の網目に仕立部材を挿通して網仕立用ロープの小棚と網地を連結しているので、小棚の形成と同時に網仕立用ロープと網地とを連結して該網を形成でき、網の製作作業性を向上できる。
（２）網地の網目に仕立部材を挿通して網仕立用ロープと網地を連結しているので、網地が破れる等の損傷した際に、仕立部材を大棚のストランド間から引き抜くだけで網仕立用ロープから網地と小棚を共に容易に外すことができ、また、再度仕立部材で小棚を形成しながら他の網地を小棚に連結して網を形成することができ、該網のメンテナンス性を向上できる。
【００７９】
（実施の形態４，５）
本発明の実施の形態４における網仕立用ロープ及びそれを用いた実施の形態５における網について、以下図面を用いて説明する。
【００８０】
図４は実施の形態４における網仕立用ロープの要部平面図であり、図５は実施の形態４における網仕立用ロープを用いた実施の形態５の網の縁部を示す要部平面図である。尚、実施の形態１乃至３と同様のものには同一の符号を付して説明を省略する。
【００８１】
図４において、３０は実施の形態４における網仕立用ロープ、３１は網仕立用ロープ３０の大棚２に外嵌され仕立部材７が挿通された挿通部８間に配設された鉛や鉄等で形成された沈材である。尚、沈材３１の代わりに浮子を配設してもよい。
【００８２】
以上のように構成された実施の形態４における網仕立用ロープを用いた実施の形態５の網の仕立方法について、以下図面を用いて説明する。
図５において、３２は実施の形態５における網である。尚、網地２１は実施の形態３と同様に、仕立部材７を大棚２のストランド３，５間に挿通した後、網目２１ａに挿通する作業を繰り返して網仕立用ロープ３０と連結される。ここで、仕立部材７を網目２１ａに挿通して網地２１と網仕立用ロープ３０を連結する代わりに、実施の形態２と同様に仕立糸で網地２１と網仕立用ロープ３０を連結してもよい。
【００８３】
以上のように実施の形態４における網仕立用ロープ及びそれを用いた実施の形態５における網は構成されているので、実施の形態１乃至３の作用に加えて以下の作用を有する。
（１）大棚に沈材又は浮子を外嵌し、仕立部材を大棚のストランド間に挿通するだけで仕立部材の挿通部間に沈材又は浮子を配設して固定することができ、沈材又は浮子を容易に取り付けることができる。
（２）予め大棚に沈材又は浮子を外嵌するだけで容易に該網仕立用ロープの総重量を変更することができ、特に、大棚に沈材を配設した場合、漁網や陸上用ネット等として使用される該網の網地の縁が捲れ上がるのを、網仕立用ロープで防止できる。
【００８４】
（実施の形態６）
本発明の実施の形態６における網仕立用ロープについて、以下図面を用いて説明する。
【００８５】
図６は実施の形態６における網仕立用ロープの要部平面図である。尚、実施の形態４と同様のものには同一の符号を付して説明を省略する。
【００８６】
図６において、４０は実施の形態６における網仕立用ロープ、４１は仕立部材７をストランド３，５間に挿通して大棚２の外周面に一周させた後次のストランド３，５間に挿通して大棚２の長さ方向に添って形成された小棚、４１ａは隣接した挿通部８間で大棚に一周巻回して沈材３１を押止した仕立部材７の巻回部である。尚、沈材３１の代わりに浮子を配設してもよい。
ここで、網仕立用ロープ４０を用いて網を仕立てる場合、実施の形態２又は３と同様にして小棚４１と網地が連結される。
【００８７】
以上のように実施の形態６における網仕立用ロープは構成されているので、実施の形態１乃至５の作用に加えて以下の作用を有する。
（１）仕立部材が挿通部間で大棚に巻回された巻回部を有しているので、仕立部材が大棚の長さ方向に容易に移動するのを防止でき、仕立部材がストランド間で摩擦されて損傷するのを防止できる。
（２）大棚に外嵌した沈材又は浮子を小棚の巻回部で押止しているので、沈材又は浮子が挿通部間で移動するのを防止でき沈材又は浮子を所定の位置に固定できる。
【００８８】
（実施の形態７，８）
本発明の実施の形態７における網仕立用ロープ及びそれを用いた実施の形態８における網について、以下図面を用いて説明する。
【００８９】
図７は実施の形態７における網仕立用ロープを用いた実施の形態８の網の縁部を示す要部平面図である。尚、実施の形態１乃至３と同様のものには同一の符号を付して説明を省略する。
【００９０】
図７において、５０は実施の形態７における網仕立用ロープ、５１は大棚２のストランド３，４間を大棚２の長さ方向と略直角に貫通する挿通部、５２は所定間隔で曲折して形成された輪状部５２ａを有した仕立部材、５３は輪状部５２ａを挿通部５１に挿通して大棚２から突出した輪部５３ａと輪部５３ａと対向する位置に挿通部５１間で大棚２の長さ方向と略平行に大棚２の外周面に露出した露出部５３ｂからなる小棚、５４は輪状部５２ａと網地２１の網目２１ａを順に交互に挿通して網地２１と網仕立用ロープ５０を連結した仕立ロープ、５５は実施の形態８における網である。
【００９１】
以上のように構成された実施の形態８における網の仕立方法について、以下説明する。
網５５を形成する場合、まず、網仕立用ロープ形成工程において、仕立部材５２を折り曲げて輪状部５２ａを形成するとともに、輪状部５２ａを挿通部５１に順に挿通し、大棚２から輪状部５２ａを突出させて輪部５３ａを形成するとともに、輪部５３ａと対向する位置に挿通部５１間で仕立部材５２を露出させて露出部５３ｂを形成して、図７に示すように、小棚５３を形成して網仕立用ロープ５０を形成する。次いで、網取付工程において、網仕立用ロープ５０の小棚５３の輪部５３ａと網地２１の網目２１ａに仕立ロープ５４を順に交互に挿通して、図７に示すように、網仕立用ロープ５０と網地２１を連結して網５５を形成する。
尚、露出部５３ｂに網地や沈材，浮子等を取り付けてもよい。
【００９２】
以上のように実施の形態７における網仕立用ロープ及びそれを用いた実施の形態８の網は構成されているので、実施の形態１乃至６の作用に加えて以下の作用を有する。
（１）仕立部材の全てを順に大棚に挿通するのではなく、仕立部材を所定間隔毎に折り曲げて形成した輪状部だけを大棚のストランド間の挿通部に挿通して小棚を形成しているので、特に、大棚が長い場合に容易に小棚を形成できる。
（２）輪状部をストランド間に挿通して輪状部を大棚の外周面に突出させて小棚の輪部を形成しているため、輪部に仕立ロープを容易に挿通することができ、仕立ロープを輪部と網地の網目に順に挿通するだけで容易に網を仕立てることができる。
（３）仕立部材の輪状部を大棚のストランド間に挿通するだけで、輪部と露出部からなる小棚を同時に形成することができ、輪部と露出部の両方に網地を連結、又は、一方に網地を連結して他方に沈材や浮子等を連結することができ、該網仕立用ロープを任意の形状の網の仕立に使用できる。
【００９３】
（実施の形態９）
本発明の実施の形態９における網仕立用ロープについて、以下図面を用いて説明する。
【００９４】
図８は実施の形態９における網仕立用ロープの要部平面図である。尚、実施の形態１又は７と同様のものには同一の符号を付して説明を省略する。
【００９５】
図８において、６０は実施の形態９における網仕立用ロープ、６１は大棚２から突出した仕立部材５２の輪状部５２ａで形成された小棚５３の輪部５３ａに挿通して結束された補助仕立部材、６２は補助仕立部材６１を輪部５３ａに結束して露出部５３ｂと対向する位置に大棚２と略平行に形成された補助小棚である。ここで、網仕立用ロープ６０を用いて網を仕立てる場合、実施の形態２又は３と同様にして小棚５３又は補助小棚６２と網地が連結される。特に、小棚５３及び補助小棚６２の両方に網地を連結した場合、網仕立用ロープ６０の長さ方向と略直角方向の網地の補強ができ、また、大棚２のストランド３乃至６の中心や各ストランド３ａ乃至６ｂに鉛線等の沈材を内設した場合、網仕立用ロープ６０を沈材として網地と連結することができる。更に、小棚５３又は補助小棚６２に沈材や浮子等を取り付けてもよく、また、実施の形態４と同様に、大棚２の挿通部５１間に沈材や浮子を外嵌して小棚５３又は補助小棚６２で沈材や浮子を大棚２に押止固定してもよい。
【００９６】
以上のように実施の形態９における網仕立用ロープは構成されているので、実施の形態１乃至８の作用に加えて以下の作用を有する。
（１）小棚の輪部に補助仕立部材を結束しているので、大棚のストランド間の挿通部に挿通した仕立部材の輪状部が、挿通部から容易に抜けるのを防止できる。
（２）小棚と補助小棚を有しているので、小棚又は補助小棚の一方と網地を連結するとともに、他方に沈材や浮子又は他の網地を取り付けることができ、該網仕立用ロープの使用性を向上できる。
（３）大棚の中心や各ストランドに鉛線等の沈材を内設した場合、該網仕立用ロープを沈材として使用することができ、使用性や汎用性を向上できる。
【００９７】
（実施の形態１０）
本発明の実施の形態１０における網仕立用ロープについて、以下図面を用いて説明する。
【００９８】
図９は実施の形態１０における網仕立用ロープの要部平面図である。尚、実施の形態１と同様のものには同一の符号を付して説明を省略する。
【００９９】
図９において、７０は実施の形態１０における網仕立用ロープ、７１は大棚２のストランド４，６間に順に挿通した補助仕立部材、７２は補助仕立部材７１が挿通されたストランド４，６間の挿通部、７３は挿通部７２間で小棚９と対向する大棚２の外周面のストランド３上に補助仕立部材７１を露出させて大棚２の長さ方向に添って形成された補助小棚である。
尚、補助仕立部材７１を挿通する挿通部７２のピッチを仕立部材７を挿通する挿通部８のピッチと異ならせてもよい。これにより、網仕立用ロープ７０の使用性を向上できる。
ここで、網仕立用ロープ７０を用いて網を仕立てる場合、実施の形態２又は３と同様にして小棚９又は補助小棚７３と網地が連結される。また、小棚９又は補助小棚７３に沈材や浮子等を取り付けてもよく、更に、実施の形態４と同様に、大棚２の挿通部７２間に沈材や浮子を外嵌して小棚９又は補助小棚７３で沈材や浮子を大棚２に押止固定してもよい。
【０１００】
以上のように実施の形態１０における網仕立用ロープは構成されているので、実施の形態１乃至５の作用に加えて以下の作用を有する。
（１）補助小棚を有しているので、補助小棚に沈材や浮子を取り付けることができ、該網仕立用ロープの使用性を向上できる。
（２）小棚と補助小棚を有しているので、小棚と補助小棚の両方に網地を連結し、網地と網地の接続部に該網仕立用ロープを使用することができ、種々の用途の網に使用できるとともに、網地と網地を堅固に接続することができる。
【０１０１】
（実施の形態１１，１２）
本発明の実施の形態１１における網仕立用ロープ及びそれを用いた実施の形態１２における網について、以下図面を用いて説明する。
【０１０２】
図１０は実施の形態１１における網仕立用ロープを用いた実施の形態１２の網の縁部を示す要部平面図である。尚、実施の形態１乃至５と同様のものには同一の符号を付して説明を省略する。
【０１０３】
図１０において、８０は実施の形態１１における網仕立用ロープ、８１は大棚２のストランド４，５間とストランド３，６間に挿通，沈材３１上に露出を順に繰り返した補助仕立部材、８２は補助仕立部材８１が挿通された挿通部、８３は挿通部８２間で大棚２に外嵌された沈材３１を押止し小棚９と略直角に大棚２の長さ方向に添って形成された補助小棚、８４は実施の形態１１の網仕立用ロープ８０を用いた実施の形態１２における網である。尚、沈材３１の代わりに、浮子を配設してもよい。
【０１０４】
以上のように構成された実施の形態１２における網８４の仕立方法は、実施の形態３と同様なので説明を省略する。尚、実施の形態２と同様に小棚９に仕立糸で網地を連結してもよい。
【０１０５】
以上のように実施の形態１１における網仕立用ロープ及び実施の形態１２の網は構成されているので、実施の形態１乃至１０の作用に加えて以下の作用を有する。
（１）補助仕立部材を有しているので、大棚に外嵌された沈材又は浮子を補助仕立部材で押止して固定することができ、沈材又は浮子が大棚の長さ方向に移動するのを防止でき、網の形態安定性を向上できる。
（２）大棚の長さ方向に添って小棚と略直角に補助小棚が配設されているので、小棚を上方にして該網仕立用ロープを地面上等に配設して使用する場合、補助小棚が地面等と直接接するのを防止でき、補助小棚の補助仕立部材が摩擦等により老朽化するのを防止でき耐久性を向上できる。
【０１０６】
（実施の形態１３）
本発明の実施の形態１３における網仕立用ロープについて、以下図面を用いて説明する。
【０１０７】
図１１は実施の形態１３における網仕立用ロープの要部平面図である。尚、実施の形態１と同様のものには同一の符号を付して説明を省略する。
【０１０８】
図１１において、９０は実施の形態１３における網仕立用ロープ、９１はストランド３，４間を大棚２の長さ方向と略直角に貫通した挿通部、９２は挿通部９１に挿通された仕立部材、９３は挿通部９１間で大棚２の対向する面に露出したストランド３，４上に交互に露出し大棚２の長さ方向に添って形成された小棚、９４は挿通部９１に挿通された補助仕立部材、９５は挿通部９１間で小棚９３と対向する位置に露出し大棚２の長さ方向に添って形成された補助小棚である。
ここで、網仕立用ロープ９０を用いて網を仕立てる場合、実施の形態２又は３と同様にして小棚９３又は補助小棚９５と網地が連結される。また、小棚９３又は補助小棚９５に沈材や浮子等を取り付けてもよく、更に、実施の形態４と同様に、大棚２の挿通部９１間に沈材や浮子を外嵌して小棚９３又は補助小棚９５で沈材や浮子を大棚２に押止固定してもよい。
【０１０９】
以上のように実施の形態１３における網仕立用ロープは構成されているので、実施の形態１乃至１２の作用に加えて以下の作用を有する。
（１）小棚と補助小棚が、仕立部材や補助仕立部材を大棚の長さ方向と略直角に貫通して形成されているので、特に小棚や補助小棚の強度を向上でき、力が強くかかる場所に該網仕立用ロープを好適に使用できる。
（２）特に、大棚に沈材や浮子を外嵌した場合、小棚と補助小棚で沈材や浮子を大棚に押止固定することができる。
（３）仕立部材と補助仕立部材を互いに異なる方向から挿通部に挿通するだけで、実施の形態９に示した小棚及び補助小棚と略同様の形状の小棚及び補助小棚を容易に形成することができ、該網仕立用ロープの生産性を向上できる。
【０１１０】
（実施の形態１４，１５，１６，１７，１８）
本発明の実施の形態１４における網仕立用ロープ及びそれを用いた実施の形態１５における網について、以下図面を用いて説明する。
【０１１１】
図１２は実施の形態１４における網仕立用ロープ及びそれを用いた実施の形態１５の網の縁部を示す要部平面図である。尚、実施の形態１又は３と同様のものには同一の符号を付して説明を省略する。
【０１１２】
図１２において、１００は実施の形態１４における網仕立用ロープ、１０１は所定間隔毎に大棚２のストランド３，４間に大棚２の長さ方向と略直角に挿通固定した輪状部材、１０１ａは輪状部材１０１の一端部で大棚２から突出したループ部、１０２は複数のループ部１０１ａで大棚２の長さ方向に添って形成された小棚、１０３は隣り合うループ部１０１ａ間の大棚２に網地２１の網目２１ａを結束した仕立糸、１０４は大棚２と網地２１を連結した実施の形態１５における網である。
ここで、ループ部１０１ａは、輪状部材１０１の一部であり、輪状部材１０１の一部を大棚２のストランド３，４間で大棚２の長さ方向と略直角に貫通させて挿通し、大棚２に半回転分巻き付けて輪状部材１０１内に挿通して引くことにより形成される。尚、実施の形態１４では、ループ部１０１ａの長さは、隣り合うループ部１０１ａ間の長さの１／２で形成されている。
【０１１３】
次に、実施の形態１６における網仕立用ロープについて、以下図面を用いて説明する。
【０１１４】
図１３は実施の形態１６における網仕立用ロープの要部平面図である。尚、実施の形態１又は４と同様のものには同一の符号を付して説明を省略する。
【０１１５】
図１３において、１０５は実施の形態１６における網仕立用ロープ、１０６は大棚２に外嵌された沈材３１の一側部のストランド３，４間に挿通固定されるとともに沈材３１の他側部のストランド３，４間に挿通固定され沈材３１を押止した複数の輪状部材、１０６ａは輪状部材１０６の一部で大棚２から突出したループ部、１０７は複数のループ部１０６ａで大棚２の長さ方向に添って形成された小棚である。尚、沈材３１の代わりに、浮子を配設してもよい。
ここで、輪状部材１０６は、実施の形態１４の輪状部材１０１と同様にして、沈材３１の一側部に挿通固定され、次いで、図１３に示すように、輪状部材１０６を沈材３１上に当接させて沈材３１の他側部のストランド３，４間に挿通して再度実施の形態１４の輪状部材１０１と同様にストランド３，４間で挿通固定される。これにより、図１３に示すように、輪状部材１０６の一部でループ部１０６ａが形成される。尚、実施の形態１６では、ループ部１０６ａの長さは、隣り合うループ部１０６ａ間の長さの１／２で形成されている。
【０１１６】
次に、以上のように構成された実施の形態１４，１６における網仕立用ロープを連結した実施の形態１７における網仕立用ロープを用いた実施の形態１８の網について、以下図面を用いて説明する。
【０１１７】
図１４は実施の形態１７における網仕立用ロープを用いた実施の形態１８の網の縁部を示す要部平面図である。
【０１１８】
図１４において、１０８は実施の形態１４，１６における網仕立用ロープ１００，１０５を連結した実施の形態１７における網仕立用ロープ、１０９は実施の形態１８における網である。
【０１１９】
以上のように構成された実施の形態１８における網の仕立方法について、以下説明する。
【０１２０】
網仕立用ロープ１０８を形成する場合、まず、網仕立用ロープ形成工程において、網仕立用ロープ１００，１０５を各々形成した後、連結工程において、網仕立用ロープ１００のループ部１０１ａに網仕立用ロープ１０５のループ部１０６ａを挿通し、次いで、ループ部１０６ａに次のループ部１０１ａを挿通する作業を順に繰り返して各ループ部１０１ａ，１０６ａを交互に挿通して、図１４に示すように、網仕立用ロープ１００，１０５を連結して網仕立用ロープ１０８を形成する。ここで、各ループ部１０１ａ，１０６ａを交互に挿通した終端部では、各ループ部１０１ａ，１０６ａ同士を結束する。
尚、網地２１は網仕立用ロープ１００に予め連結していてもよく、また、網仕立用ロープ１０８の形成後に連結してもよい。
また、網仕立用ロープ１００，１０５を連結する代わりに、網仕立用ロープ１００同士又は網仕立用ロープ１０５同士をループ部１０１ａ同士又はループ部１０６ａ同士で連結してもよい。
【０１２１】
以上のように実施の形態１４，１６，１７における網仕立用ロープ及びそれを用いた実施の形態１５，１８における網は構成されているので、実施の形態１乃至５の作用に加えて以下の作用を有する。
（１）実施の形態１４，１６の網仕立用ロープの小棚が、複数の輪状部材で形成されているため、特に、大棚が長い場合に所定間隔毎に各輪状部材を挿通固定することができ、実施の形態１４，１６の小棚を容易に形成することができる。
（２）複数の輪状部材で小棚が形成されているので、小棚の一部が摩耗や切断等により損傷した場合でも、損傷した輪状部材だけを容易に交換することができ、網仕立用ロープのメンテナンス性に優れる。
（３）実施の形態１７における網仕立用ロープは、実施の形態１４，１６の網仕立用ロープのループ部を交互に挿通して両網仕立用ロープを連結して形成されているので、網仕立用ロープの連結が容易にできるとともに、一端のループ部を外すだけで網仕立用ロープ同士を容易に取り外すことができる。
（４）２本の網仕立用ロープを各ループ部で連結しているので、網仕立用ロープ同士を堅固に連結でき、特に、強度を要する網に該網仕立用ロープを好適に使用できる。
（５）実施の形態１４，１６の各ループ部が隣り合うループ部間の長さの１／２の長さで形成されているので、実施の形態１４，１６の網仕立用ロープを各ループ部で連結し実施の形態１７の網仕立用ロープを形成した際に、実施の形態１４，１６の各網仕立用ロープの各大棚間に広い間隙ができるのを防止できる。
（６）実施の形態１６における網仕立用ロープの大棚に沈材又は浮子を外嵌しているので、該網仕立用ロープを沈材や浮子として使用できるとともに、実施の形態１４における網仕立用ロープとループ部で連結するだけで沈材や浮子を有した網仕立用ロープを容易に形成することができる。
【０１２２】
【発明の効果】
以上のように本発明における網仕立用ロープによれば、以下の優れた効果を実現できる。
【０１２３】
請求項１に記載の発明によれば、
（１）小棚が、４×ｎ本のストランドを有した編組ロープからなる大棚のストランド間に仕立部材を挿通して形成されているので、小棚の形成に仕立糸等を要さず容易に小棚を形成でき該網仕立用ロープの生産性に優れるとともに、仕立糸等がないため、仕立糸が地面等との摩擦により切断されることによる小棚と大棚の離脱がなく、該網仕立用ロープの耐久性に優れる。
（２）仕立部材を大棚のストランド間に挿通するだけで小棚を形成できるので、編組ロープからなる大棚に小棚を後付けすることができ、該網仕立用ロープの生産性に優れるとともに、従来のように、大棚のストランドを用いて小棚を形成していないので、大棚の有する強度や耐久性を維持したまま小棚を形成することができ、該網仕立用ロープの耐久性に優れる。
（３）大棚が、編組ロープからなるため、大棚を長さ方向で圧縮するか、スパイキ等の挿通具をストランド間に挿通するだけで仕立部材を挿通するストランド間を広げることができ、仕立部材の挿通作業が容易にできるとともに、大棚を長さ方向に引くだけでストランド間で仕立部材を挟持して挿通部に仕立部材を固定でき、小棚の形成作業性に優れる。
（４）編組ロープと仕立部材だけで該網仕立用ロープを形成できるとともに、小棚を容易に形成できるので、該網仕立用ロープを短時間に形成でき生産性の向上や低コスト化を図ることができる。
（５）大棚が、約１８０°異なる方向に交互に露出するように編組されたストランドを有した編組ロープからなるため、ストランドのピッチが分かりやすく、仕立部材を所定の間隔でストランド間に挿通し易く、小棚の形成に熟練を要さず誰にでも所定の間隔で仕立部材を挿通して小棚を形成することができ該網仕立用ロープの生産性に優れる。
（６）略同一直線上に露出したストランドと他の同一直線上に露出したストランドの色が異なっているため、大棚の編組ロープの各ストランドのピッチがわかり易く、仕立部材を所定間隔で編組ロープのストランド間に容易に挿通でき、仕立部材の挿通作業性を向上でき小棚の形成作業性に優れ、小棚を短時間で形成できる。
（７）更に、仕立部材を大棚のストランド間に挿通して小棚を形成した後に、仕立部材の挿通ピッチを容易に確認することができる。
【０１２４】
請求項２に記載の発明によれば、請求項１の効果に加えて、
（８）仕立部材を挿通したストランド間に補助仕立部材を挿通する場合に、特に、仕立部材と挿通方向を逆にすると、小棚と対向する位置に補助小棚を形成でき、小棚と補助小棚に網地を各々連結して網地と網地の接続ができ、網地と網地の接続部の強度を向上することができる。
（９）仕立部材と異なるストランド間に補助仕立部材を挿通する場合、補助仕立部材の挿通箇所により小棚と補助小棚を任意の角度で大棚に形成でき、種々の網の仕立に該網仕立用ロープを使用でき、使用性，汎用性に優れる。
【０１２５】
また、本発明における網仕立用ロープを用いた網によれば、以下の優れた効果を実現できる。
請求項３に記載の発明によれば、
（１０）網地を仕立糸で網仕立用ロープの小棚や補助小棚若しくは大棚に結束しているので、網地と網仕立用ロープを堅固に連結することができるとともに、特に小棚や補助小棚に網地を連結した場合、結束部が地面や海底等に接するのを防止でき、仕立糸が摩耗し難く網の耐久性に優れる。
（１１）網地と網仕立用ロープが仕立糸で堅固に連結されているので、特に、長期間設置して使用される漁網の定置網や生け簀網，大型のゴルフネット等に好適に使用でき、使用性に優れる。
【０１２６】
請求項４に記載の発明によれば、請求項１又は２の効果に加えて、
（１２）網地を仕立糸で網仕立用ロープの小棚や補助小棚若しくは大棚に結束しているので、網地と網仕立用ロープを堅固に連結することができるとともに、特に小棚や補助小棚に網地を連結した場合、結束部が地面や海底等に接するのを防止でき、仕立糸が摩耗し難く網の耐久性に優れる。
（１３）網地と網仕立用ロープが仕立糸で堅固に連結されているので、特に、長期間設置して使用される漁網の定置網や生け簀網，大型のゴルフネット等に好適に使用でき、使用性に優れる。
【０１２７】
請求項５に記載の発明によれば、
（１４）網地の網目に、小棚や補助小棚を形成する仕立部材を挿通して網仕立用ロープを形成しているので、大棚に小棚を形成し網仕立用ロープを形成すると同時に網地を網仕立用ロープと連結して該網を製作でき、網の製作作業が短時間で容易にでき、生産作業性に優れる。
（１５）仕立糸等の他の部材を要さず、網仕立用ロープと網地だけで該網を製作でき、網の仕立作業に要する部品点数を削減でき、低コスト化を図ることができる。
（１６）漁網の小型底引き網や巻網，陸上の安全ネット等、短期間毎に点検ができる場所で好適に使用できる。
【０１２８】
請求項６に記載の発明によれば、請求項１又は２の効果に加えて、
（１７）網地の網目に、小棚や補助小棚を形成する仕立部材を挿通して網仕立用ロープを形成しているので、大棚に小棚を形成し網仕立用ロープを形成すると同時に網地を網仕立用ロープと連結して該網を製作でき、網の製作作業が短時間で容易にでき、生産作業性に優れる。
（１８）仕立糸等の他の部材を要さず、網仕立用ロープと網地だけで該網を製作でき、網の仕立作業に要する部品点数を削減でき、低コスト化を図ることができる。
（１９）漁網の小型底引き網や巻網，陸上の安全ネット等、短期間毎に点検ができる場所で好適に使用できる。
【０１２９】
更に、本発明における網の仕立方法によれば、以下の優れた効果を実現できる。
請求項７に記載の発明によれば、
（２０）大棚の編組ロープのストランド間に仕立部材を挿通するだけで誰にでも容易に小棚を有した網仕立用ロープを形成でき、生産性を向上できる。
（２１）網取付工程で、網仕立用ロープに仕立糸や仕立ロープで網を連結することができるので、網仕立用ロープ形成工程と網取付工程を別々にすることができ、網仕立用ロープの形成と網の製作を分業することができる。
【０１３０】
請求項８に記載の発明によれば、
（２２）大棚の編組ロープのストランド間に仕立部材を挿通するだけで誰にでも容易に小棚を有した網仕立用ロープを形成でき、生産性を向上できる。
（２３）網取付工程で、網仕立用ロープに仕立糸や仕立ロープで網を連結することができるので、網仕立用ロープ形成工程と網取付工程を別々にすることができ、網仕立用ロープの形成と網の製作を分業することができる。
【０１３１】
請求項９に記載の発明によれば、
（２４）大棚の編組ロープのストランド間に仕立部材を挿通するとともに、仕立部材を網地の網目に挿通しているので、大棚に小棚を形成すると同時に網地を網仕立用ロープの連結ができ、網の製作が短時間ででき生産性に優れる。
【０１３３】
請求項１０に記載の発明によれば、
（２５）大棚の編組ロープのストランド間に仕立部材を挿通するとともに、仕立部材を網地の網目に挿通しているので、大棚に小棚を形成すると同時に網地を網仕立用ロープの連結ができ、網の製作が短時間ででき生産性に優れる。
【図面の簡単な説明】
【図１】実施の形態１における網仕立用ロープの要部平面図
【図２】実施の形態１における網仕立用ロープを用いた実施の形態２の網の縁部を示す要部平面図
【図３】実施の形態１における網仕立用ロープを用いた実施の形態３の網の縁部を示す要部平面図
【図４】実施の形態４における網仕立用ロープの要部平面図
【図５】実施の形態４における網仕立用ロープを用いた実施の形態５の網の縁部を示す要部平面図
【図６】実施の形態６における網仕立用ロープの要部平面図
【図７】実施の形態７における網仕立用ロープを用いた実施の形態８の網の縁部を示す要部平面図
【図８】実施の形態９における網仕立用ロープの要部平面図
【図９】実施の形態１０における網仕立用ロープの要部平面図
【図１０】実施の形態１１における網仕立用ロープを用いた実施の形態１２の網の縁部を示す要部平面図
【図１１】実施の形態１３における網仕立用ロープの要部平面図
【図１２】実施の形態１４における網仕立用ロープ及びそれを用いた実施の形態１５の網の縁部を示す要部平面図
【図１３】実施の形態１６における網仕立用ロープの要部平面図
【図１４】実施の形態１７における網仕立用ロープを用いた実施の形態１８の網の縁部を示す要部平面図
【符号の説明】
１，３０，４０，５０，６０，７０，８０，９０，１００，１０５，１０８  網仕立用ロープ
２  大棚
３，４，５，６，  ストランド
３ａ，３ｂ，４ａ，４ｂ，５ａ，５ｂ，６ａ，６ｂ  ストランド
７，５２，９２  仕立部材
８，５１，７２，８２，９１  挿通部
９，４１，５３，９３，１０２，１０７  小棚
１０，２０，３２，５５，８４，１０４，１０９  網
１１，２１  網地
１１ａ  網糸
１２，１０３  仕立糸
２１ａ  網目
３１  沈材
４１ａ  巻回部
５２ａ  輪状部
５３ａ  輪部
５３ｂ  露出部
５４  仕立ロープ
６１，７１，８１，９４  補助仕立部材
６２，７３，８３，９５  補助小棚
１０１，１０６  輪状部材
１０１ａ，１０６ａ  ループ部
【図１】
0003541146.tif 000002
【図２】
0003541146.tif 000003
【図３】
0003541146.tif 000004
【図４】
0003541146.tif 000005
【図５】
0003541146.tif 000006
【図６】
0003541146.tif 000007
【図７】
0003541146.tif 000008
【図８】
0003541146.tif 000009
【図９】
0003541146.tif 000010
【図１０】
0003541146.tif 000011
【図１１】
0003541146.tif 000012
【図１２】
0003541146.tif 000013
【図１３】
0003541146.tif 000014
【図１４】
0003541146.tif 000015